【手続補正書】
【提出日】平成29年9月11日(2017.9.11)
【手続補正１】
【補正対象書類名】特許請求の範囲
【補正対象項目名】全文
【補正方法】変更
【補正の内容】
【特許請求の範囲】
【請求項１】
コンピュータに、
第１コンテンツ内に第２コンテンツを配置して表示する表示手順と、
前記第１コンテンツに対する操作に応じて、前記第２コンテンツを第３コンテンツへと変更する変更手順と
を実行させるための情報表示プログラム。
【請求項２】
前記変更手順は、前記第１コンテンツが表示された領域における操作に従って、前記第１コンテンツの表示範囲を変更するとともに、前記第２コンテンツを徐々に前記第３コンテンツへと変更することを特徴とする請求項１に記載の情報表示プログラム。 
【請求項３】
前記変更手順は、前記操作に従って、所定の表示領域に前記第２コンテンツを表示する領域の割合を減少させ、前記表示領域に前記第３コンテンツを表示する領域の割合を増加させる
ことを特徴とする請求項１または２に記載の情報表示プログラム。 
【請求項４】
前記変更手順は、前記操作に従って、前記第２コンテンツを移動させずに、前記第２コンテンツよりも前面に配置された前記第３コンテンツを、前記所定の表示領域外から前記所定の表示領域内へ移動させることを特徴とする請求項３に記載の情報表示プログラム。
【請求項５】
前記表示手順は、前記第２コンテンツの背面に前記第３コンテンツを配置し、
前記変更手順は、前記操作に従って、前記表示領域のうち前記第２コンテンツを表示する領域の幅を縮小させ、前記表示領域のうち前記第３コンテンツを表示させる領域の幅を拡大させることを特徴とする請求項３に記載の情報表示プログラム。 
【請求項６】
前記変更手順は、前記操作に従って、前記第１コンテンツの表示範囲を移動させるとともに、前記表示領域のうち前記第２コンテンツを表示する領域と前記表示領域のうち前記第３コンテンツを表示する領域との境界を、前記表示範囲の移動に合わせて移動させることを特徴とする請求項３〜５のうちいずれか１つに記載の情報表示プログラム。 
【請求項７】
前記表示手順は、所定の枠線を含む第１コンテンツを表示し、
前記変更手順は、前記表示領域のうち前記第２コンテンツを表示する領域と前記表示領域のうち前記第３コンテンツを表示する領域との境界を、前記第１コンテンツに含まれる枠線の移動に合わせて移動させる
ことを特徴とする請求項６に記載の情報表示プログラム。 
【請求項８】
前記変更手順は、前記第１コンテンツの終端が表示されている際に前記操作が行われた場合は、当該操作に従って、前記第１コンテンツが表示される領域と前記第２コンテンツが表示される領域とに第４コンテンツを表示させることを特徴とする請求項１〜７のうちいずれか１つに記載の情報表示プログラム。 
【請求項９】
前記変更手順は、前記操作に従って、前記第１コンテンツが表示される領域の広さと前記第２コンテンツが表示される領域の広さとを縮小し、前記第４コンテンツが表示される領域の広さを拡大することを特徴とする請求項８に記載の情報表示プログラム。 
【請求項１０】
前記変更手順は、前記操作に従って、前記第２コンテンツを移動させずに、前記第１コンテンツが表示される領域と前記第２コンテンツが表示される領域とを含む領域外から当該領域内へ、前記第１コンテンツおよび前記第２コンテンツよりも前面に配置された前記第４コンテンツを移動させることを特徴とする請求項９に記載の情報表示プログラム。 
【請求項１１】
前記表示手順は、前記第１コンテンツが表示される領域と前記第２コンテンツが表示される領域とを含む領域の背面に前記第４コンテンツを配置し、
前記変更手順は、前記操作に従って、前記第１コンテンツが表示される領域と前記第２コンテンツが表示される領域とを含む領域の幅を縮小させ、前記第４コンテンツが表示される領域の幅を拡大させることを特徴とする請求項９に記載の情報表示プログラム。 
【請求項１２】
前記表示手順は、前記第１コンテンツが表示される領域に当該第１コンテンツの終端を表示する場合は、前記第４コンテンツのうち前記第２コンテンツが表示される領域と同じ位置に表示される範囲を、前記第２コンテンツが表示される領域に表示することを特徴とする請求項１１に記載の情報表示プログラム。 
【請求項１３】
前記表示手順は、動画像を含む前記第２コンテンツ又は前記第３コンテンツを表示し、前記操作に応じて、前記第２コンテンツに含まれる動画像又は前記第３コンテンツに含まれる動画像の再生を制御することを特徴とする請求項１〜１２のうちいずれか１つに記載の情報表示プログラム。 
【請求項１４】
前記表示手順は、前記第１コンテンツ又は前記第３コンテンツよりも前面に、第５コンテンツを配置し、前記操作に応じた位置に当該第５コンテンツを表示することを特徴とする請求項１〜１３のうちいずれか１つに記載の情報表示プログラム。 
【請求項１５】
前記表示手順は、動画像を含む前記第５コンテンツを表示し、前記操作に応じて、当該第５コンテンツに含まれる動画像の再生を制御することを特徴とする請求項１４に記載の情報表示プログラム。 
【請求項１６】
制御情報とともに、第１コンテンツと共に表示される第２コンテンツと第３コンテンツとを端末装置に配信する配信部を備え、
前記制御情報は、
第１コンテンツ内に第２コンテンツを配置して表示する表示手順と、
前記第１コンテンツに対する操作に応じて、前記第２コンテンツを第３コンテンツへと変更する変更手順と
を前記端末装置に実行させることを特徴とする配信装置。 
【請求項１７】
情報表示装置が実行する情報表示方法であって、
第１コンテンツ内に第２コンテンツを配置して表示する表示工程と、
前記第１コンテンツに対する操作に応じて、前記第２コンテンツを第３コンテンツへと変更する変更工程と
を含むことを特徴とする情報表示方法。 
【請求項１８】
第１コンテンツ内に第２コンテンツを配置して表示する表示部と、
前記第１コンテンツに対する操作に応じて、前記第２コンテンツを第３コンテンツへと変更する変更部と
を有することを特徴とする情報表示装置。
【手続補正２】
【補正対象書類名】明細書
【補正対象項目名】発明の名称
【補正方法】変更
【補正の内容】
【発明の名称】情報表示プログラム、配信装置、情報表示方法および情報表示装置
【手続補正３】
【補正対象書類名】明細書
【補正対象項目名】０００１
【補正方法】変更
【補正の内容】
【０００１】
本発明は、情報表示プログラム、配信装置、情報表示方法および情報表示装置に関する。
【手続補正４】
【補正対象書類名】明細書
【補正対象項目名】０００６
【補正方法】変更
【補正の内容】
【０００６】
本願に係る情報表示プログラムは、コンピュータに、第１コンテンツ内に第２コンテンツを配置して表示する表示手順と、前記第１コンテンツに対する操作に応じて、前記第２コンテンツを第３コンテンツへと変更する変更手順とを実行させることを特徴とする。
【手続補正５】
【補正対象書類名】明細書
【補正対象項目名】０００９
【補正方法】変更
【補正の内容】
【０００９】
以下に、本願に係る情報表示プログラム、配信装置、情報表示方法および情報表示装置を実施するための形態（以下、「実施形態」と呼ぶ）について図面を参照しつつ詳細に説明する。なお、この実施形態により本願に係る情報表示プログラム、配信装置、情報表示方法および情報表示装置が限定されるものではない。また、以下の各実施形態において同一の部位には同一の符号を付し、重複する説明は省略される。